【事件の表示】
　平成１１年特許願第１８８９６２号「スロットマシン」拒絶査定不服審判事件〔平成１２年　２月２９日出願公開、特開２０００−　６１０４０〕について、次のとおり審決する。
【結　論】
　本件審判の請求は、成り立たない。
【理　由】
第１．手続きの経緯・本願発明　
　本願は、平成１０年８月２５日の出願（出願番号：特願平１０−２３８２３４号、以下「親出願」という）の一部を分割して新たな特許出願としたものであって、平成１３年９月１２日付けで拒絶理由が通知され、これに対し、同年１１月１９日付けで手続補正がなされ、平成１３年１２月１１日付けで拒絶査定がなされ、これに対し、平成１４年１月１５日に拒絶査定に対する審判請求がなされるとともに、同日付け及び同年２月１３日付けで手続補正がなされ、その後、当審において平成１８年５月８日付けで、前記平成１４年１月１５日付け及び同年２月１３日付けの手続補正が却下されるとともに拒絶理由が通知され、これに対し、平成１８年７月１０日付けで手続補正がなされたものであり、その請求項１に係る発明は、上記平成１８年７月１０日付けで補正された明細書の記載からみて、その特許請求の範囲の請求項１に記載された次のとおりのものである。
　　
　【請求項１】複数種類の図柄が外周面にそれぞれ表示された複数個の主リールと、
　前記複数個の主リールを個々に回転可能な複数個の主リールモータと、
　前記複数個の主リールモータの駆動を開始させるためのスタート信号を出力するためのスタートスイッチと、
　前記複数個の主リールモータのうち、対応する少なくとも１個の前記主リールモータの駆動を停止させるためのストップ信号を個々に出力するための複数個のストップスイッチと、
　前記複数個の主リールモータ、前記スタートスイッチ、及び前記複数個のストップスイッチにそれぞれ接続され、遊技の制御を行うための遊技制御装置とを備え、
　前記遊技制御装置には、
　前記スタートスイッチから出力された前記スタート信号にもとづいて、入賞の抽選を行うための入賞抽選手段と、
　前記入賞抽選手段により抽選され、成立したフラグを判定するためのフラグ判定手段と、
　前記スタートスイッチから出力された前記スタート信号にもとづいて、前記複数個の主リールモータの駆動を全て開始させ、前記フラグ判定手段による判定結果、及び前記複数のストップスイッチからそれぞれ出力された前記各ストップ信号にもとづいて、当該対応する少くとも１個の前記主リールモータの停止制御を行うための主リール駆動制御手段とを備えるスロットマシンにおいて、
　前記フラグ判定手段には、
　フラグが成立した入賞に相当する図柄を判定するための図柄判定手段を含み、
　前記スロットマシンには、
　前記図柄判定手段により判定された図柄を表示するためのフラグ成立図柄表示装置を備え、該フラグ成立図柄表示装置は、複数種類の図柄が外周面に表示された補助リールと、前記補助リールを回転させる補助リールモータとを備え、
　前記遊技制御装置には、
　前記スタートスイッチから出力された前記スタート信号に基づき、前記主リール駆動制御手段によって主リールモータの駆動を開始させる前に、前記補助リールモータの駆動を開始させ、その後、前記主リール駆動制御手段によって主リールモータの駆動を開始させる前に、前記図柄判定手段によって判定された図柄を前記フラグ成立図柄表示装置に停止表示させるように、補助リールモータの駆動を停止させ、その後、主リール駆動制御手段にリール駆動開始信号を出力してすべての主リールモータの駆動を開始させるとともに、補助リールモータの駆動を再開させ、その後、すべての主リールモータの駆動が主リール駆動制御手段によって停止された後に、補助リールモータの駆動を停止させるための補助リール駆動停止制御手段を備えていることを特徴とするスロットマシン。（以下「本願発明」という）
　
第２．出願日について
　主リールモータ及び補助リールモータの駆動に関して、本願発明は、「スタートスイッチから出力されたスタート信号に基づき、・・・主リールモータの駆動を開始させる前に、補助リールモータの駆動を開始させ、その後、・・・主リールモータの駆動を開始させる前に、・・・補助リールモータの駆動を停止させ、その後、・・・すべての主リールモータの駆動を開始させるとともに、補助リールモータの駆動を再開させ、その後、すべての主リールモータの駆動が・・・停止された後に、補助リールモータの駆動を停止させるための補助リール駆動停止制御手段を備えている」ものであり、前回の遊技の終了からの経過時間との関連性は記載されていない。
　これに対し、補助リールモータの駆動に関して、「補助リールモータの駆動を再開させ」る点に関する記載について、親出願（特願平１０−２３８２３４号）の出願当初の明細書及び図面を見ると、以下の事項が記載されている。
　「【００４４】
　・・・
（図７の説明）つぎに、図７以降を用いて、他の遊技方法について説明する。
　・・・
【００４６】・・・スタートスイッチ９０から出力されたスタート信号を、前回の遊技から所定時間、例えば４．１秒以内に入力したことを条件に、補助リールモータ７２の駆動を開始させる。
【００４７】つぎに、・・所定時間経過後、補助リールモータ７２の駆動を停止させ、・・・判定された図柄５０を、補助リール７１に停止表示させる。上記所定時間としては、例えば前回の遊技から２秒後に、スタートスイッチ９０が操作された場合には、残る２．１秒以内に、補助リールモータ７２の駆動を停止する。
【００４８】・・・その後、例えば４．１秒経過後、・・・補助リールモータ７２の駆動を再開させる。・・・補助リール停止信号にもとづいて、補助リールモータ７２の駆動を停止させる。
【００４９】・・・つぎに、本実施の形態の遊技方法について、図７に示すフローチャートを用いて説明する。
・・・
【００５１】スタートスイッチ９０を操作すると、図７に示すように、次のステップＳ２２に進み、前回の遊技から４．１秒以内か否かの判定が行われる。・・・その結果、４．１秒以内の場合には、図７に示すように、次のステップＳ２３に進み、補助リール７１の回転が開始する。
【００５２】・・・その後、図７に示すように、次のステップＳ２３に進み、補助リール７１の回転が停止する。・・・
【００５３】・・・その後、図７に示すように、次のステップＳ２５に進み、３個全ての主リール４０〜４２及び補助リール７１の回転が開始する。・・・
【００５４】・・・３個全てのストップスイッチ１００〜１０２を操作すると、図７に示すように、次のステップＳ２７に進み、３個全ての主リール４０〜４２の回転が停止する。
【００５５】・・・３個全ての主リール４０〜４２の停止後、図７に示すように、次のステップＳ２８に進み、補助リール７１の回転が停止する。・・・
【００５６】一方、先のステップＳ２２において、４．１秒を越えていると判定されていた場合には、図７に示すように、先に説明したステップＳ２５に進み、３個全ての主リール４０〜４２及び補助リール７１の回転が開始する。
（図８の説明）図８は、本発明の実施の形態の１つを示し、同図はスロットマシンの動作を説明するためのフローチャートを示すものである。
・・・
【００５８】つぎに、本実施の形態の遊技方法について、図８に示すフローチャートを用いて説明する。・・・遊技者が、スタートスイッチ９０を操作する。
【００５９】このとき、スタートスイッチ９０からスタート信号が出力される。スタートスイッチ９０を操作すると、図８に示すように、次のステップＳ３２に進み、前回の遊技から４．１秒以内か否かの判定が行われる。・・・その結果、４．１秒以内の場合には、次のステップＳ３３に進み、フラグが成立した否かの判定が行われる。
【００６０】・・・その結果、フラグが成立している場合には、次のステップＳ３４に進み、補助リール７１の逆転を開始させる。・・・
【００６１】・・・その後、次のステップＳ３５に進み、補助リール７１の回転が停止する。
　上記処理は、図１に示すフラグ成立図柄表示制御手段８５により制御されている。
【００６２】・・・その後、次のステップＳ３６に進み、３個全ての主リール４０〜４２及び補助リール７１の回転を開始する。・・・
【００６３】・・・３個全てのストップスイッチ１００〜１０２を操作すると、次のステップＳ３８に進み、３個全ての主リール４０〜４２の回転が停止する。
【００６４】・・・３個全ての主リール４０〜４２の停止後、次のステップＳ３９に進み、補助リール７１の回転が停止する。・・・
【００６５】一方、先のステップＳ３２において、４．１秒を越えていると判定されていた場合には、先に説明したステップＳ３６に進み、３個全ての主リール４０〜４２及び補助リール７１の回転を開始する。・・・」。
　
　したがって、親出願の出願当初の明細書及び図面には、
　「スタートスイッチ９０を操作すると、前回の遊技から４．１秒以内か否かの判定が行われ、
　４．１秒以内の場合には、補助リール７１の回転が開始し、その後、補助リール７１の回転が停止し、その後、３個全ての主リール４０〜４２及び補助リール７１の回転が開始し、３個全てのストップスイッチ１００〜１０２を操作すると、３個全ての主リール４０〜４２の回転が停止し、その後、補助リール７１の回転が停止し、
　４．１秒を越えている場合には、３個全ての主リール４０〜４２及び補助リール７１の回転が開始する、
　スロットマシン」の技術（以下、「原発明記載技術」という）が記載され、「補助リールモータの駆動を再開させ」る駆動制御を行うためには、スタートスイッチ９０の操作が「前回の遊技から４．１秒以内であるとの判定が行われ」ることを必要としている。そうすると、前回の遊技からの経過時間を判定しない本願発明は、前回の遊技からの経過時間に拘わらず「補助リールモータの駆動を再開させ」るものであるから、スタートスイッチの操作が前回の遊技から４．１秒を越えている場合でも「補助リールモータの駆動を再開させ」るものと解される。しかしながら、スタートスイッチの操作が前回の遊技から４．１秒を越えている場合に「補助リールモータの駆動を再開させ」ることは親出願には記載されていない。
　したがって、本願発明は、親出願の出願当初の明細書及び図面に記載した事項の範囲内でないものを含むから、依然として、出願日の遡及は認められない。
　　
　以上のとおりであるから、本願の出願日の遡及は認められず、本願の出願日は実際に本願が出願された平成１１年７月２日である。
　　
第３．当審の拒絶理由　
　当審は、上記平成１８年５月８日付けの拒絶理由で、本願の出願日の遡及を認めず、本願の請求項１乃至４に係る発明は、特許法第２９条第２項の規定により特許を受けることができない旨を通知したが、それらのうち、本願の請求項２乃至４に係る発明については、下記の刊行物１に記載された発明に基づいて、当業者が容易に発明をすることができたものであるから、特許法第２９条第２項の規定により特許を受けることができない旨を通知した。
　
　刊行物１：特許第２８８７１３８号公報（平成１１年４月２６日発行）
　　　
第４．刊行物に記載された発明　
　刊行物１：特許第２８８７１３８号公報（平成１１年４月２６日発行）
　刊行物ア：特開平１０−１７９８４６号公報
　刊行物イ：特開平８−９８９２６号公報
　　
　当審の拒絶の理由に引用され、本願出願前に頒布された、上記特許第２８８７１３８号公報（以下、「引用刊行物１」という）には、次の事項が記載されている。
　「【００１２】本発明は、従来技術における上記のような課題に鑑み行われたものであって、その目的とするところは、特定の賞について内部当り状態にあることを遊技者に報知すると共に、内部当り状態が設定されている特定の賞の種類に応じた報知を遊技者に対し行い、然も遊技者の興味を引きつけることのできるスロットマシン等の遊技装置を提供することにある。」、
　「【００３１】内部当り設定報知手段及び賞種報知手段を構成する報知装置には特に限定はなく、１又は２個以上のランプやＬＥＤ（発光ダイオード）を用いた表示装置、液晶パネルを用いた表示装置、ＬＥＤ等による７セグメントデジタル表示、１又は２以上のリール（ゲームにおける入賞とは無関係の別個に設けられたリールでもよい）等の視覚的内容を報知する装置（それらの１種又は２種以上の組み合わせ）や、スピーカその他の音声発生装置による聴覚的内容を報知する装置（それらの１種又は２種以上の組み合わせ）等の何れか又はそれらの複合等によって行うことができる。・・・
【００３２】内部当り設定報知手段と賞種報知手段は、同一の報知装置を用いたものとすることができる（請求項３）。この場合、同一の報知装置のみを用いるときと、内部当り設定報知手段と賞種報知手段がそれぞれ同一の報知装置と別々の報知装置を組み合せて用いるときとがある。
【００３３】・・・
【００３４】内部当り設定報知手段又は賞種報知手段により報知する内容としては、例えば、文字、図形等の意味のある視覚的内容や、言葉やメロディ等の聴覚的内容、又はそれ自体にはあまり意味のない視覚的若しくは聴覚的内容等を採用し得る。また、報知する内容は、入賞の報知等の他の事項の報知から区別できるものとすることが望ましい。
【００３５】賞種報知手段による報知は、内部当り状態が設定されている特定の賞の種類に応じて行われる。従って、それぞれの特定の賞に別々の報知内容（報知手段が変ることにより報知内容が変る場合も含む）又は報知時期が設定されるものとすることができる。
【００３６】内部当り設定報知手段又は賞種報知手段により報知する内容は、特定の賞に内部当り状態が設定されている場合にのみ特に設けられたものでもよく、また例えば、同様の状況において通常行われる表示や音声に変更が加えられることにより報知されるものであってもよい。
【００３７】内部当り設定報知手段による報知は、例えば、表示手段による固定的表示が行われた後に行われるものとすることができる他、表示手段が表示内容の連続的変化を開始する前、又は表示手段が表示内容を連続的に変化させつつ表示する間（例えば、表示手段に表示内容を固定的に表示させるために表示固定手段を遊技者が最終的に操作する前、すなわち遊技者の操作が関与し得る時期である。より具体的な例として、３つの回転するリールを３つの停止ボタンの押圧によりそれぞれ停止させてそれらの外周面のシンボルを固定的に表示するものの場合、３つ目に押圧する停止ボタンの押圧前を挙げることができる。）に行われるものとすることができる。」、
　「【００４９】内部当り対象賞がＢＢ、ＲＢ、ＳＢ、再遊技、及び十数枚又はそれ以下のメダルを払い出す小物（通常のスロットマシンにおいては、例えばオレンジ、プラム、ベル、チェリー等）等を含む場合、特定の賞は、それら全てでもよく、例えば、ＢＢ及びＲＢ（何れも遊技者に利益の大きい賞で１回のゲームでは入賞し難い賞）のみ、或いはＢＢ、ＲＢ及びプラムのみというように、任意に選択することもできる。
・・・」、
　「【００５３】
【発明の実施の形態】本発明の実施の形態を、図面を参照しつつ説明する。図１乃至図４は、本発明の実施の形態の例としてのスロットマシンについてのものである。」、
　「【００５８】上下方向中央部のやや上方には、水平方向等間隔に並んだ３つのシンボル表示窓１２が設けられ、スロットマシン内部における各対応位置に、３つのリール１４が水平方向回転軸線を中心として互いに独立的に回転自在に支持されている。各リール１４の外周面には、多種のシンボル（オレンジ、プラム、ベル、チェリー等の絵、「７」の文字、「ＢＡＲ」の文字、「ＲＰ」の文字等。図示せず。）が周方向における一定距離毎に順に表示され、そのうち周方向に連続する任意の３つのシンボルが、各リール１４の停止時に、シンボル表示窓１２における上中下の各位置にリール１４毎に表示される。遊技者はこれらのシンボルを視認することができる。各リール１４は、それぞれ別々のステッピングモータ（回転駆動装置の一例。図示せず。）によって、回転駆動され、また停止保持される。」、
　「【００６２】各リール１４の下方には、それぞれのリール１４が回転中であり、その回転をストップボタン３０の押圧により停止させることが可能であることを示すために点灯する３つのストップランプ３２（ＳＴＯＰ）が設けられている。ストップボタン３０は、ストップランプ３２の下方に、各リール１４に対応して３つ設けられている。
【００６３】メダル投入口２２の上側には、メダルの投入が可能なことを示すために点滅するメダル投入ランプ３４（ＩＮＳＥＲＴ　ＭＥＤＡＬＳ）が設けられている。その上方には、上から順に、内部当り設定・賞種表示用デジタル表示器３６（ＬＵＣＫＹ）、保留枚数表示器３８（ＣＲＥＤＩＴ）及び払出枚数表示器４０（ＰＡＹＯＵＴ）が設けられている。
【００６４】・・・
（２）　次に、主に図１のブロック図を参照してスロットマシンの構成の概要を説明する。
【００６５】制御部５０は、ゲームの実行や周辺機器等の制御及び各種データの読み書きなどの処理を行うＣＰＵ（中央処理装置）、ＲＡＭ、ゲームの実行や周辺機器等の制御などのためのプログラム及び各種データが書き込まれたＲＯＭ、並びに周辺機器等との接続のための入出力インターフェイスなど（図示せず。）からなり、必要に応じ周辺機器等と連携して、上記表示手段、表示固定手段、内部当り設定手段、内部当り設定報知手段、賞種報知手段、入賞判定手段等の機能を実現する。」、
　「【００７０】スタートレバー２８は、リール１４の回転開始が可能な状態において３つのリール１４の回転を一斉に開始させる場合に、押下することにより回転開始信号を制御部５０に出力する。
【００７１】・・・
【００７２】ストップボタン３０（停止ボタン）は、回転中のリール１４を停止させる場合に各リール１４毎に押圧するものであり、各ストップボタン３０の押圧により、対応するリール１４を停止させるための停止信号を制御部５０に出力する。
【００７３】・・・
【００７４】リール部１４ａは、３つのリール１４と、各リール１４を回転駆動又は停止保持するための３つのステッピングモータと、制御部５０からのステッピングモータ駆動信号に応じてそれらのステッピングモータを駆動するための駆動回路と、一定回転位置において制御部５０に対しリセット信号を出力するためのリセット信号出力部を有してなる（図示せず。）。・・・
【００７５】・・・
【００７６】・・・
【００７７】内部当り設定・ 賞種表示部３６ａは、制御部５０から出力される表示信号に従って、０乃至９の１０種の数字を素早く変更しつつ約５秒間表示した後、内部当りの抽選によりＢＢ（ビッグボーナス）又はＲＢ（レギュラーボーナス）の内部当りとなった場合にそれぞれ設定されるＢＢフラグ又はＲＢフラグの有無に応じてセットされた数字を固定的に表示する。」、
　「【００８０】・・・
（３）　次に、ゲーム実行処理動作の概略を図３及び図４を参照して説明する。
【００８１】・・・
【００８２】スタートレバー２８を押下すると、ステップＳ３はＹとなり、制御部５０は、次のステップＳ４でスタートランプ２６を消灯し、ステップＳ５で３つのリール１４を一斉に回転させる。更にステップＳ６でＢＢ（ビッグボーナス）、ＲＢ（レギュラーボーナス）、及びＳＢ（シングルボーナス）；並びにその他の遊技者にとって比較的利益の小さい賞（小物）であるオレンジ、プラム、ベル、チェリー等又は再遊技について、制御部５０において、内部当りか否かの抽選を行う。この例においては、全ての賞が内部当り対象賞であり、そのうちＢＢ及びＲＢが特定の賞である。抽選は、乱数サンプリングを実行し、得られたサンプリング値をＲＯＭに書き込まれているデータに照らして、当選か否か及びその賞の種類等を判定することにより行う。他の方法による抽選も可能である。
【００８３】抽選により何れかの賞の内部当りとなった場合、その賞に対応するフラグがセットされる。ＢＢ（ビッグボーナス）に当選した場合、すなわち所謂ＢＢの内部当りの場合（Ｓ７−Ｙ）、制御部５０においてＢＢフラグがセットされる（Ｓ８）。また、抽選によりＲＢ（レギュラーボーナス）に内部当り（当選）となった場合（Ｓ９−Ｙ）、ＲＢフラグがセットされる（Ｓ１０）。
【００８４】次いで、制御部５０が全てのストップランプ３２を点灯させる。その後、遊技者が適宜のタイミングで各ストップボタン３０を押圧することにより（或いは所定時間ストップボタン３０を押圧せずに不操作状態が継続することにより）出力される停止信号を制御部５０が検知すると、制御部５０は、リール停止操作時に発する停止音の出力信号を音声出力部５２に対し出力し、音声出力部５２はそれに応じてスピーカ２０から停止音を出力する。次いで制御部５０は対応するリール１４のステッピングモータを停止させる。
（３−１）　制御部５０が対応するリール１４のステッピングモータを停止させる際、ＢＢ、ＲＢ、ＳＢ、再遊技等の何れかの賞の内部当り状態となっていることを示すフラグが何れもセットされていなければ、制御部５０はストップボタン３０押圧（或いは所定時間放置）による停止信号を受けた後一定のタイミングでリール１４を停止させる。・・・
【００８５】・・・
（３−２）　何れかの賞に内部当り状態となっていることを示すフラグがセットされている場合、制御部５０は、ストップボタン３０の押圧等による停止信号を受けた時点から内部当り状態となっている賞への入賞に必要なシンボルが入賞に必要な位置に達するまでの差が規定停止時間内であるときは、そのシンボルが必要位置に表示されるようにリール１４を停止させる。すなわち、そのシンボルをシンボル表示窓１２の必要位置に引き込む。このようにして、内部当り状態が設定されている場合に、その賞に入賞する率を上げるか又は入賞がほぼ確実となるようにして高入賞率化する。前記規定停止時間内にないときは、他の賞について入賞とならないように必要に応じリール１４を１コマずつ送って停止させる。
【００８６】・・・
【００８７】３つ目のリール１４が停止すると、制御部５０は、有効ラインランプ１８によって示される有効ライン１６上のシンボルの種類及び並び方を把握し、入賞か否か、及び入賞した賞の種類を判定する。その際遊技者も、同様に入賞か否か、及び入賞した賞の種類を知ることとなる。」、
　「【００９０】ＢＢフラグ又はＲＢフラグがセットされていて入賞なしと判定された場合において、ＢＢフラグがセットされているときは（Ｓ１１−Ｙ）、内部当り設定・ 賞種表示用デジタル表示器３６に表示させる数字として、「奇数」を制御部５０でセットする（Ｓ１２）。また、ＲＢフラグがセットされているときは（Ｓ１３−Ｙ）、内部当り設定・賞種表示用デジタル表示器３６に表示させる数字として「偶数」を、制御部５０でセットする（Ｓ１４）。
【００９１】次いで、制御部５０の指示により、内部当り設定・ 賞種表示用デジタル表示器３６が、０乃至９の１０種の数字を素早く変更しつつ表示し始めると共に音声出力部５２が制御部５０の指示に応じてスピーカ２０から「作動開始」効果音を出力する。すなわち、特定の賞であるＢＢ又はＲＢに内部当り状態が設定されていることが報知される。更に、制御部５０は、約５秒間、音声出力部５２のスピーカ２０から「作動中」効果音を出力すると共に、内部当り設定・賞種表示用デジタル表示器３６が０乃至９の１０種の数字を素早く変更しつつ表示を継続する。そのように約５秒間経過した後、制御部５０は、セットされた数字を内部当り設定・ 賞種表示用デジタル表示器３６が固定的に表示するように指示する。
【００９２】内部当り設定・ 賞種表示用デジタル表示器３６の作動開始及びスピーカ２０からの「作動開始」効果音により、遊技者は、ＢＢ又はＲＢに内部当りとなったことを知る。そして、約５秒間、音声出力部５２のスピーカ２０からの「作動中」効果音を聞くと共に、設定・ 賞種表示用デジタル表示器３６による数字の継続的変更表示を見ることにより、遊技者はＢＢ内部当りの期待が大きく掻き立てられ、内部当り設定・ 賞種表示用デジタル表示器３６の動作が別の新たなゲームのような効果を強く発揮する。
【００９３】音声出力部５２が制御部５０の指示に応じてスピーカ２０から「賞種確定」効果音を出力すると共に、ＢＢフラグがセットされているときは「奇数」が表示されるので、遊技者はＢＢに内部当り状態であることが分かる。ＲＢフラグがセットされているときは「偶数」が表示されるので、遊技者はＲＢに内部当り状態であることを知ることができる。従って次のゲームにおいて遊技者が狙うべきシンボルが明らかになる。なお、「賞種確定」効果音に代えて、ＢＢフラグ又はＲＢフラグに応じ、「ＢＢ当選」効果音又は「ＲＢ当選」効果音を出力するようにすることもできる。」。
　
　したがって、引用刊行物１には、
「多種のシンボルが外周面に表示された３つのリール１４と、
　前記３つのリール１４を別々に回転駆動する３つのステッピングモータと、
　前記３つのリール１４の回転を一斉に開始させる場合に回転開始信号を出力するスタートレバー２８と、
　回転中のリール１４を停止させる場合に、対応するリール１４のステッピングモータを停止させるための停止信号を出力する３つのストップボタン３０と、
　前記スタートレバー２８を押下すると３つのリール１４を一斉に回転させ、　前記ストップボタン３０を押圧することにより出力される停止信号を検知すると対応するリール１４のステッピングモータを停止させる、制御部５０とを備え、
　前記制御部５０は、
　（１）スタートレバー２８を押下すると内部当りか否かの抽選を行い、抽選により何れかの賞の内部当りとなった場合、その賞に対応するフラグがセットされ、　
　（２）各ストップボタン３０を押圧することにより出力される停止信号を検知すると対応するリール１４のステッピングモータを停止させる際、何れかの賞の内部当り状態となっていることを示すフラグが何れもセットされていなければ、ストップボタン３０押圧による停止信号を受けた後一定のタイミングでリール１４を停止させ、何れかの賞に内部当り状態となっていることを示すフラグがセットされている場合、ストップボタン３０の押圧等による停止信号を受けた時点から内部当り状態となっている賞への入賞に必要なシンボルが必要位置に表示されるようにリール１４を停止させるスロットマシンにおいて、
　制御部５０から出力される表示信号に従って、０乃至９の１０種の数字を約５秒間変更表示した後、制御部５０の指示により固定的に表示する内部当り設定・賞種表示用デジタル表示器３６を備え、この内部当り設定・賞種表示用デジタル表示器３６に表示させる数字として、内部当りの抽選によりＢＢ（ビッグボーナス）又はＲＢ（レギュラーボーナス）の内部当りとなった場合にそれぞれ「奇数」又は「偶数」の数字をセットする制御部５０を備える、スロットマシンであって、
　（イ）前記デジタル表示器３６は、ゲームにおける入賞とは無関係の別個に設けられた１又は２以上のリールでもよく、
　（ロ）前記デジタル表示器３６による報知は、リールによる固定的表示が行われた後に行われるものとすることができる他、リールが表示内容の連続的変化を開始する前、又はリールが表示内容を連続的に変化させつつ表示する間に行われるものとすることができ、
　（ハ）前記デジタル表示器３６により報知する内容としては、文字、図形等の意味のある視覚的内容を採用し得るものであり、
　（ニ）前記デジタル表示器３６により、内部当り状態が設定されている特定の賞の種類に応じた別々の報知を行い、
　遊技者の興味を引きつけることのできるスロットマシン。」の発明（以下、「引用発明１」という）が記載されていると認められる。
　
　本願出願前に頒布された、上記特開平１０−１７９８４６号公報（以下、「引用刊行物ア」という）には、以下の記載がある。
　「（５４）【発明の名称】スロットマシン
（５７）【要約】
・・・
【解決手段】・・・すべてのリール１ａ〜１ｃが停止したときに窓外の所定ライン上にボーナスパターンまたはリーチパターンが成立すると、制御部は、各リール１ａ〜１ｃをその図柄組合せを維持した状態で低速回転させる。」、
　「【００５２】・・・一方、ステップ１４または１６が「ＮＯ」のときは、ＣＰＵ２１はさらにステップ１９で、いずれか窓外ライン上にボーナスパターンまたはリーチパターンが成立しているか否かを判定し、この判定が「ＹＥＳ」であれば、続くステップ２０で、各リールを一斉に再駆動して低速回転させる。
【００５３】この低速回転は、各リールが一回転するまで継続されるもので、各リールは元の停止位置に戻ると再び停止する（ステップ２１，２２）。この低速回転により窓外ライン上に成立していたボーナスパターンまたはリーチパターンは、ゆっくりとリール表示窓３内に移動してくることになるので、遊戯者は、この成立したパターンを視認して抽選が当たっていることを認識することができる。」。
　　
　したがって、引用刊行物アには、
「すべてのリール１ａ〜１ｃが停止したときに窓外の所定ライン上にボーナスパターンまたはリーチパターンが成立すると、各リール１ａ〜１ｃをその図柄組合せを維持した状態で一斉に再駆動して低速回転させ、一回転して元の停止位置に戻ると各リールは再び停止する、スロットマシン」の発明（以下、「引用発明ア」という）が記載されていると認められる。
　　
　本願出願前に頒布された、上記特開平８−９８９２６号公報（以下、「引用刊行物イ」という）には、以下の記載がある（なお、丸付き数字については、「（丸付き数字）」を付記した）。
　「【００４９】一方、図柄６４ｃの変動表示において大当りであるときには、既に停止した図柄６４ａ，６４ｂに表示される当りライン上の停止図柄が大当り図柄であるから、いわゆるリーチ状態での変動となるが、その変動パターンが抽出されたランダム５の値で変化するようになっている。具体的には、・・・図１９に示すように、ランダム５の値が「５０〜８８」の中で偶数のときの大当りパターン３（丸付き数字）は、前記大当りパターン１（丸付き数字）と同じ変動態様が終了すると一旦変動を停止し、微少時間（０．４８０秒）の後、再変動を開始して１〜２０図柄分の変動の間で当り図柄と一致したときに停止される。同様に、ランダム５の値が「５１〜８９」の中で奇数のときの大当りパターン４（丸付き数字）は、上記した大当りパターン２（丸付き数字）と同じ変動態様が終了すると一旦変動を停止し、微少時間（０．４８０秒）の後、再変動を開始して１〜２０図柄分の変動の間で当り図柄と一致したときに停止される。・・・」、
　「【００５１】以上、実施例に係る可変表示部材としての回転ドラム６４を備えた可変表示装置３０について説明してきたが、・・・更に、遊技機としても、パチンコ遊技機だけでなく、アレンジ式遊技機やスロットマシンであっても良い。」。
　　　
　したがって、引用刊行物イには、
「既に停止した図柄６４ａ，６４ｂに表示される当りライン上の停止図柄が大当り図柄であるときには、ランダム５の値によって、図柄６４ｃの変動表示が、一旦変動を停止し、微少時間の後、再変動を開始して当り図柄と一致したときに停止される、スロットマシン」の発明（以下、「引用発明イ」という）が記載されていると認められる。
　　　　　　　
第５．本願発明との比較・検討
　本願発明と引用発明１とを比較する。
　引用発明１の「シンボル」は本願発明の「図柄」に相当し、以下同様に「リール１４」は「主リール」に、「ステッピングモータ」は「主リールモータ」に、「回転開始信号」は「スタート信号」に、「スタートレバー２８」は「スタートスイッチ」に、「停止信号」は「ストップ信号」に、「ストップボタン３０」は「ストップスイッチ」に、それぞれ相当する。また、引用発明１の「内部当り設定・賞種表示用デジタル表示器３６」は「文字、図形等の意味のある視覚的内容を報知」し、「リールでもよ」いのであるから、本願発明の「複数種類の図柄が表示された補助リール」に対応する。
　そして、引用発明１の「制御部５０」について検討すると、
　（ａ）「スタートレバー２８を押下すると３つのリール１４を一斉に回転させ、ストップボタン３０を押圧することにより出力される停止信号を検知すると対応するリール１４のステッピングモータを停止させる」ものであるから、本願発明の「複数個の主リールモータ、スタートスイッチ、及び複数個のストップスイッチにそれぞれ接続され、遊技の制御を行うための遊技制御装置」に相当する事項を有し、
　（ｂ）「スタートレバー２８を押下すると内部当りか否かの抽選を行い、抽選により何れかの賞の内部当りとなった場合、その賞に対応するフラグがセットされ、制御部５０から出力される表示信号に従って約５秒間変更表示した後、制御部５０の指示により固定的に表示する内部当り設定・賞種表示用デジタル表示器３６を備え、前記デジタル表示器３６により、内部当り状態が設定されている特定の賞の種類に応じた別々の報知を行う」のであるから、本願発明の「遊技制御装置には、スタートスイッチから出力されたスタート信号にもとづいて、入賞の抽選を行うための入賞抽選手段と、前記入賞抽選手段により抽選され、成立したフラグを判定するためのフラグ判定手段と、を備え、前記フラグ判定手段には、フラグが成立した入賞に相当する図柄を判定するための図柄判定手段を含み、前記図柄判定手段により判定された図柄を表示するためのフラグ成立図柄表示装置を備え、」に相当する事項及び「遊技制御装置には、補助リール駆動停止制御手段を備え」に相当する事項を有し、
　（ｃ）「スタートレバー２８を押下すると内部当りか否かの抽選を行い、抽選により何れかの賞の内部当りとなった場合、その賞に対応するフラグがセットされ、各ストップボタン３０を押圧することにより出力される停止信号を検知すると対応するリール１４のステッピングモータを停止させる際、何れかの賞に内部当り状態となっていることを示すフラグがセットされている場合、ストップボタン３０の押圧等による停止信号を受けた時点から内部当り状態となっている賞への入賞に必要なシンボルが必要位置に表示されるようにリール１４を停止させる」のであるから、本願発明の「遊技制御装置には、スタートスイッチから出力されたスタート信号にもとづいて、複数個の主リールモータの駆動を全て開始させ、フラグ判定手段による判定結果、及び複数のストップスイッチからそれぞれ出力された各ストップ信号にもとづいて、当該対応する少くとも１個の前記主リールモータの停止制御を行うための主リール駆動制御手段とを備え」に相当する事項を有していることは、明らかである。
　　
　そうすると、両者の一致点及び相違点は次のとおりである。
　
　一致点
　複数種類の図柄が外周面にそれぞれ表示された複数個の主リールと、
　前記複数個の主リールを個々に回転可能な複数個の主リールモータと、
　前記複数個の主リールモータの駆動を開始させるためのスタート信号を出力するためのスタートスイッチと、
　前記複数個の主リールモータのうち、対応する少なくとも１個の前記主リールモータの駆動を停止させるためのストップ信号を個々に出力するための複数個のストップスイッチと、
　前記複数個の主リールモータ、前記スタートスイッチ、及び前記複数個のストップスイッチにそれぞれ接続され、遊技の制御を行うための遊技制御装置とを備え、
　前記遊技制御装置には、
　前記スタートスイッチから出力された前記スタート信号にもとづいて、入賞の抽選を行うための入賞抽選手段と、
　前記入賞抽選手段により抽選され、成立したフラグを判定するためのフラグ判定手段と、
　前記スタートスイッチから出力された前記スタート信号にもとづいて、前記複数個の主リールモータの駆動を全て開始させ、前記フラグ判定手段による判定結果、及び前記複数のストップスイッチからそれぞれ出力された前記各ストップ信号にもとづいて、当該対応する少くとも１個の前記主リールモータの停止制御を行うための主リール駆動制御手段とを備えるスロットマシンにおいて、
　前記フラグ判定手段には、
　フラグが成立した入賞に相当する図柄を判定するための図柄判定手段を含み、
　前記スロットマシンには、
　前記図柄判定手段により判定された図柄を表示するためのフラグ成立図柄表示装置を備え、該フラグ成立図柄表示装置は、複数種類の図柄が表示された補助リールを備え、
　前記遊技制御装置には、
　補助リール駆動停止制御手段を備えていることを特徴とするスロットマシン。　
　
　相違点（Ａ）
　フラグ成立図柄表示装置が、本願発明では複数種類の図柄が外周面に表示された補助リールと、前記補助リールを回転させる補助リールモータとを備えるのに対し、引用発明１では図柄の表示箇所が明らかでなく、またリールを回転させるモータを備えるかどうか明らかでない点、
　相違点（Ｂ）
　補助リール駆動停止制御手段が、本願発明では主リールモータの駆動を開始させる前に、補助リールモータの駆動を開始させ、その後、補助リールモータの駆動を停止させ、その後、主リール駆動制御手段にリール駆動開始信号を出力してすべての主リールモータの駆動を開始させるとともに、補助リールモータの駆動を再開させ、その後、すべての主リールモータの駆動が停止された後に、補助リールモータの駆動を停止させるものであるのに対し、引用発明１における駆動開始後の停止（報知）は、主リール（リール）による停止（固定的表示）の後とすることができる他、主リールが回転（表示内容の連続的変化）を開始する前、又は主リールが回転（表示内容を連続的に変化させつつ表示）する間に行われるものとすることができる点
　　
　上記相違点について検討する。
　相違点（Ａ）について　　
　複数種類の図柄をリールの外周面に表示させること、及びリールを回転させるためにモータを備えることは、それぞれスロットマシンの分野においては技術常識であるから、当該技術常識を引用発明１の補助リール（内部当り設定・賞種表示用デジタル表示器３６）に適用し、相違点（Ａ）に係る本願発明を特定する事項とすることは、当業者が適宜なし得る設計上の事項である。
　相違点（Ｂ）について
　引用発明１には補助リールの駆動開始後の停止（報知）が、主リールの回転開始の前、又は主リールの停止の後とすることが記載されている。また、スロットマシンのリールの回転を一旦停止させた後、再び回転させて停止させる再変動技術は、例えば、引用発明ア及びイに示すように、当該技術分野においては技術常識である。
　一方、本願発明においては、補助リールモータの駆動を再開させる点についての技術的意義、及び再変動後に停止する図柄の表示についての技術的意義は、本願の明細書を参酌しても認められない。
　してみれば、引用発明１における補助リールの駆動手法として、前記技術常識である再変動技術を用い、相違点（Ｂ）に係る本願発明を特定する事項とすることは、当業者が容易になし得ることである。
　　　
　また、効果においても、本願発明が格別の効果を奏するものとは認められない。　
　　　
第６．むすび
　以上のとおり、本願発明は、当審の拒絶の理由に引用された上記引用発明１及び技術常識に基づいて当業者が容易に発明をすることができたものであるから、本願は、特許法第２９条第２項の規定により、特許を受けることができない。
　
　よって、結論のとおり審決する。